(57)【特許請求の範囲】
【請求項１】
排水孔を有し、側溝の基礎版または底版部の下に配置される砕石を上面で支持する床板部と、
前記床板部に立設され、前記砕石を側面で支持する側壁部と
を有する砕石支持プレート。
【請求項２】
排水孔を有し、側溝の下に配置される砕石を上面で支持する第１床板部と、前記第１床板部の一端辺側に立設され、前記砕石を側面で支持する第１側壁部とからなる第１プレートと、
前記第１プレートの前記第１床板部の前記第１側壁部が立設された一端辺側とは反対側の一端辺側の下面に配置される第２床板部と、前記第２床板部の前記第１プレートの前記第１床板部の前記第１側壁部が立設された一端辺側とは反対側の一端辺側に立設され、前記砕石を側面で支持する第２側壁部とからなる第２プレートと
から構成される砕石支持プレート。
【請求項３】
排水孔を有し、側溝の下に配置される砕石を上面で支持する第１床板部を構成する第１プレートと、
前記第１プレートの一端辺側の下面に配置される第２床板部と、前記第２床板部の一端辺側に立設され、前記砕石を側面で支持する第１側壁部とからなる第２プレートと、
前記第１プレートの前記第２プレートが配置される一端辺側とは反対側の一端辺側の下面に配置される第３床板部と、前記第３床板部の前記第２プレートが配置される一端辺側とは反対側の一端辺側に立設され、前記砕石を側面で支持する第２側壁部とからなる第３プレートと
から構成される砕石支持プレート。
【請求項４】
請求項１から３のいずれかに記載の砕石支持プレートと、
前記砕石支持プレート上に配設される透水シートと、
前記透水シート上に配設される砕石と、
前記砕石上に配設される浸透型側溝と
を有する浸透型排水設備。
【発明の詳細な説明】
【技術分野】
【０００１】
本発明は、浸透型側溝の下に配置される砕石を支持する砕石支持プレートおよびこれを用いた浸透型排水設備に関する。
【背景技術】
【０００２】
例えば、特許文献１〜３に記載のような浸透型排水設備が知られている。浸透型排水設備では、浸透型側溝ブロックの底面や歩道側側面にある透水部から、地中に雨水が還元される構造となっており、地中の透水部が配置される側には砕石が配置され、砕石の下面や側面には、砕石が流れないように透水シートが配置されている。このような浸透型排水設備では、側溝ブロックの透水部を通って外部に排出された水は、砕石部を通り、透水シートを介して地中に浸透還元される。
【先行技術文献】
【特許文献】
【０００３】
【特許文献１】特開２００６−１１２１８８号公報
【特許文献２】特開２００７−３２０４８号公報
【特許文献３】特開２００７−１７７４１４号公報
【発明の概要】
【発明が解決しようとする課題】
【０００４】
ところで、上記従来の浸透型排水設備では、側溝ブロックや砕石部を埋設したままであれば何も問題はないが、道路脇の土地に店舗や住宅が新築された際に、この浸透型排水設備の下方に水道管やガス管を地中から配管することがある。このとき、浸透型排水設備の下方を支保工なしで横堀り（いわゆる、狸堀り）し、管を通すことが行われるが、この狸堀りによって砕石が落盤してしまう。
【０００５】
このような落盤が発生すると、側溝ブロックや道路が陥没する原因となる。また、一旦落盤すると、当初の砕石部を有する構造に復旧することは困難であり、仮に土を埋めるとしても締固めを十分に行うことができない。
【０００６】
そこで、本発明においては、浸透型排水設備の下方に狸堀りにより配管する際の落盤を防止することが可能な砕石支持プレートおよびこれを用いた浸透型排水設備を提供することを目的とする。
【課題を解決するための手段】
【０００７】
本発明の砕石支持プレートは、排水孔を有し、側溝の下に配置される砕石を上面で支持する床板部と、床板部に立設され、砕石を側面で支持する側壁部とを有するものである。本発明の砕石支持プレートによれば、この砕石支持プレート上に透水シートが配設され、透水シート上に砕石が配設され、砕石上に浸透型側溝が配設されることにより、浸透型排水設備が構成され、砕石は砕石支持プレートにより底面および側面が支持されるため、この浸透型排水設備の下方に狸堀りした際の落盤が防止される。
【０００８】
本発明の砕石支持プレートは一体型とすることも可能であるが、本発明の砕石支持プレートは、排水孔を有し、側溝の下に配置される砕石を上面で支持する第１床板部と、第１床板部の一端辺側に立設され、砕石を側面で支持する第１側壁部とからなる第１プレートと、第１プレートの第１床板部の第１側壁部が立設された一端辺側とは反対側の一端辺側の下面に配置される第２床板部と、第２床板部の第１プレートの第１床板部の第１側壁部が立設された一端辺側とは反対側の一端辺側に立設され、砕石を側面で支持する第２側壁部とからなる第２プレートとから構成されるものであることが望ましい。
【０００９】
これにより、第２プレートを配設した後、第２プレートの第２床板部上に、第１床板部を重ねて第１プレートを配設し、砕石を配設することで、第１床板部上に配設された砕石の重みにより第２プレートの第２床板部が押さえられ、第２プレートの第２側壁部の傾倒が防止される。また、第１プレートおよび第２プレートは、それぞれ略Ｌ字状断面の部材となるため、成形および運搬が容易となる。
【００１０】
また、本発明の砕石支持プレートは、排水孔を有し、側溝の下に配置される砕石を上面で支持する第１床板部を構成する第１プレートと、第１プレートの一端辺側の下面に配置される第２床板部と、第２床板部の一端辺側に立設され、砕石を側面で支持する第１側壁部とからなる第２プレートと、第１プレートの第２プレートが配置される一端辺側とは反対側の一端辺側の下面に配置される第３床板部と、第３床板部の第２プレートが配置される一端辺側とは反対側の一端辺側に立設され、砕石を側面で支持する第２側壁部とからなる第３プレートとから構成されるものとすることもできる。
【００１１】
これにより、第２プレートおよび第３プレートを配設した後、第２プレートの第２床板部上および第３プレートの第３床板部上に、第１床板部を重ねて第１プレートを配設し、砕石を配設することで、第１床板部上に配設された砕石の重みにより第２プレートの第２床板部および第３プレートの第３床板部が押さえられ、第２プレートの第１側壁部および第３プレートの第２側壁部の傾倒が防止される。また、第１プレートは平板状の部材となり、第２プレートおよび第３プレートは、それぞれ略Ｌ字状断面の部材となるため、成形および運搬が容易となる。
【発明の効果】
【００１２】
（１）排水孔を有し、側溝の下に配置される砕石を上面で支持する床板部と、床板部に立設され、砕石を側面で支持する側壁部とを有する砕石支持プレートによれば、浸透型排水設備の砕石は、この砕石支持プレートにより底面および側面が支持されるため、浸透型排水設備の下方に狸堀りした際の落盤が防止される。
【００１３】
（２）排水孔を有し、側溝の下に配置される砕石を上面で支持する第１床板部と、第１床板部の一端辺側に立設され、砕石を側面で支持する第１側壁部とからなる第１プレートと、第１プレートの第１床板部の第１側壁部が立設された一端辺側とは反対側の一端辺側の下面に配置される第２床板部と、第２床板部の第１プレートの第１床板部の第１側壁部が立設された一端辺側とは反対側の一端辺側に立設され、砕石を側面で支持する第２側壁部とからなる第２プレートとから構成される砕石支持プレートによれば、成形および運搬が容易となり、低コストかつ取り扱いの容易な砕石支持プレートが提供できる。
【００１４】
（３）排水孔を有し、側溝の下に配置される砕石を上面で支持する第１床板部を構成する第１プレートと、第１プレートの一端辺側の下面に配置される第２床板部と、第２床板部の一端辺側に立設され、砕石を側面で支持する第１側壁部とからなる第２プレートと、第１プレートの第２プレートが配置される一端辺側とは反対側の一端辺側の下面に配置される第３床板部と、第３床板部の第２プレートが配置される一端辺側とは反対側の一端辺側に立設され、砕石を側面で支持する第２側壁部とからなる第３プレートとから構成される砕石支持プレートによれば、成形および運搬が容易となり、低コストかつ取り扱いの容易な砕石支持プレートが提供できる。
【図面の簡単な説明】
【００１５】
【図１】（ａ）は本発明の実施の形態における浸透型排水設備の断面図、（ｂ）は（ａ）のＡ−Ａ断面図である。
【図２】図１の砕石支持プレートの第１プレートを示す図であって、（ａ）は正面図、（ｂ）は平面図、（ｃ）は左側面図である。
【図３】図１の砕石支持プレートの第２プレートを示す図であって、（ａ）は正面図、（ｂ）は右側面図である。
【図４】砕石支持プレートの別の実施形態を示す断面図である。
【図５】本発明の浸透型排水設備の別の実施形態を示す断面図である。
【発明を実施するための形態】
【００１６】
図１の（ａ）は本発明の実施の形態における浸透型排水設備の断面図、（ｂ）は（ａ）のＡ−Ａ断面図、図２は図１の砕石支持プレートの第１プレートを示す図であって、（ａ）は正面図、（ｂ）は平面図、（ｃ）は左側面図、図３は図１の砕石支持プレートの第２プレートを示す図であって、（ａ）は正面図、（ｂ）は右側面図である。
【００１７】
図１において、本発明の実施の形態における浸透型排水設備１は、函渠を構成する側溝としての浸透型側溝ブロック２が道路の側方の地中に埋設されたものである。浸透型側溝ブロック２は、側溝本体２ａ、プレキャスト基礎版２ｂ、インバートコンクリート２ｃおよびコンクリート蓋２ｄからなり、プレキャスト基礎版２ｂおよびインバートコンクリート２ｃには所定間隔で部分的に浸透口３が設けられている。また、プレキャスト基礎版２ｂの下方および浸透口３内には砕石４が配置されている。
【００１８】
また、この浸透型排水設備１では、この砕石４を支持する略凹状の砕石支持プレート５が配設されており、砕石４はこの略凹状の砕石支持プレート５上に配設されている。砕石プレート５は、図２に示す第１プレート６と、図３に示す第２プレート７とから構成される。また、砕石４と砕石支持プレート５との間には透水シート８が配設されている。
【００１９】
第１プレート６は、図２に示すようにＦＲＰ（繊維強化プラスチック）により略Ｌ字状に成形された部材であり、それぞれ矩形の第１床板部６ａおよび第１側壁部６ｂからなる。第１床板部６ａには長孔からなる複数の排水孔６ｃが形成されている。また、第１側壁部６ｂは、第１床板部６ａの一端辺側に立設されている。
【００２０】
第２プレート７は、図３に示すようにＦＲＰ（繊維強化プラスチック）により略Ｌ字状に成形された部材であり、それぞれ矩形の第２床板部７ａおよび第２側壁部７ｂからなる。第２側壁部７ｂは、第２床板部７ａの一端辺側に立設されている。
【００２１】
上記構成の浸透型排水設備１の施工は、まず掘削した地中に第２プレート７を配設し、この第２プレート７の第２床板部７ａ上に、第１床板部６ａを重ねて第１プレート６を配設する。これにより、第２床板部７ａは、第１プレート６の第１床板部６ａの第１側壁部６ｂが立設された一端辺側（図１（ａ）の右側）とは反対側の一端辺側（図１（ａ）の左側）の下面に配置され、第２側壁部７ｂは、第２床板部７の第１プレート６の第１床板部６ａの第１側壁部６ｂが立設された一端辺側（図１（ａ）の右側）とは反対側の一端辺側（図１（ｂ）の左側）に立設された状態となる。
【００２２】
そして、第１プレート６および第２プレート７により形成された凹部６ａの内面に透水シート８を敷設し、砕石４を配設する。これにより、砕石４は、第１プレート６の第１床板部６ａの上面および第１側壁部６ｂの側面と、第２プレート７の第２側壁部７ｂの側面とにより支持される。このとき、第２プレート７の第２床板部７ａは、第１プレート６の第１床板部６ａ上に配設された砕石４の重みにより押さえられているため、第２プレート７の第２側壁部７ｂの傾倒が防止される。
【００２３】
そして、砕石４上にプレキャスト基礎版２ｂを敷設し、側溝本体２ａを敷設する。次に、プレキャスト基礎版２ｂの浸透口３の位置に合わせて型枠（図示せず。）を設置し、生コンクリートによりインバートコンクリート２ｃを形成する。その後、プレキャスト基礎版２ｂおよびインバートコンクリート２ｃに形成された浸透口３内に砕石４を配設し、コンクリート蓋２ｄを設置する。
【００２４】
上記構成の浸透型排水設備１では、砕石４は、第１プレート６および第２プレート７からなる砕石支持プレート５により支持されているため、この浸透型排水設備１の下方に配管９のための横穴１０を狸堀りしても落盤することはない。
【００２５】
また、第１プレート６および第２プレート７は、それぞれ略Ｌ字状断面の部材であるため、成形および運搬が容易であり、これらにより構成される砕石支持プレート５は低コストかつ取り扱いが容易である。なお、本実施形態においては、砕石支持プレート５は、第１プレート６および第２プレート７からなる２分割式であるが、一体式とすることも可能である。
【００２６】
あるいは、図４に示すように、第１プレート１１、第２プレート１２および第３プレート１３からなる３分割式の砕石支持プレート１４とすることも可能である。第１プレート１１は、第１床板部１１ａを構成するＦＲＰ製の矩形の板材である。第２プレート１２および第３プレート１３は、前述の第２プレート７と同様の部材であり、それぞれ第２床板部１２ａおよび第１側壁部１２ｂと、第３床板部１３ａと第２側壁部１３ｂとを有する。
【００２７】
このような構成においても、第２プレート１２および第３プレート１３を配設した後、第２プレート１２の第２床板部１２ａ上および第３プレート１３の第３床板部１３ａ上に、第１床板部１１ａを重ねて第１プレート１１を配設し、砕石４（図１参照。）を配設することで、第１床板部１１ａ上に配設された砕石４の重みにより第２プレート１２の第２床板部１２ａおよび第３プレート１３の第３床板部１３ａが押さえられ、第２プレート１２の第１側壁部１２ｂおよび第３プレート１３の第２側壁部１３ｂの傾倒が防止される。
【００２８】
そして、この構成においては、第１プレート１１は平板状の部材であり、第２プレート１２および第３プレート１３は、それぞれ略Ｌ字状断面の部材であるため、成形および運搬が容易であり、これらにより構成される砕石支持プレート１４は、砕石支持プレート５と同様、低コストかつ取り扱いが容易である。
【００２９】
次に、本発明の浸透型排水設備の別の実施形態について説明する。図５は本発明の浸透型排水設備の別の実施形態を示す断面図である。図５に示す浸透型排水設備２０は、函渠を構成する側溝としての浸透型側溝ブロック２１が道路の側方の地中に埋設されたものである。浸透型側溝ブロック２１は、民地側の側壁部２１ａおよび底版部２１ｂには、部分的に透水孔２２が設けられている。
【００３０】
この場合、透水孔２２が設けられた側壁部２１ａおよび底版部２１ｂ側に砕石４が配置されており、砕石プレート５は、この側壁部２１ａおよび底版部２１ｂ側に配置された砕石４を支持するように設けられている。このような構成においても、前述と同様、砕石４は、砕石支持プレート５により支持されているため、この浸透型排水設備２０の下方に配管９のための横穴１０を狸堀りしても落盤することはない。
【産業上の利用可能性】
【００３１】
本発明の砕石支持プレートは、排水を地中に浸透還元可能な浸透型排水設備に有用であり、特に本発明の砕石支持プレートは、浸透型排水設備の下方に狸堀りにより配管する際の落盤を防止することが可能なものとして好適である。
【符号の説明】
【００３２】
１，２０  浸透型排水設備
２，２１  浸透型側溝ブロック
４  砕石
５  砕石プレート
６  第１プレート
６ａ  第１床板部
６ｂ  第１側壁部
７  第２プレート
７ａ  第２床板部
７ｂ  第２側壁部
８  透水シート
９  配管
１０  横穴
１１  第１プレート
１１ａ  第１床板部
１２  第２プレート
１２ａ  第２床板部
１２ｂ  第１側壁部
１３  第３プレート
１３ａ  第３床板部
１３ｂ  第２側壁部
２２  透水孔
【図１】
0005298287.tif 000002
【図２】
0005298287.tif 000003
【図３】
0005298287.tif 000004
【図４】
0005298287.tif 000005
【図５】
0005298287.tif 000006